(57)【特許請求の範囲】
【請求項１】
皮膚のタルミ度合いを鑑別するための指標の算出方法であって、
被測定者の皮膚表面の測定部位を中心とする、立位姿勢における重力と反対方向に対して被測定者から見て右回りに１１０〜１７０°又は２９０〜３４０°の範囲内の衝撃波の伝搬時間を測定し、測定した伝搬時間の平均値を前記指標として算出することを特徴とする、皮膚のタルミ度合いを鑑別するための指標の算出方法。
【請求項２】
化粧料の使用による皮膚粘弾性改善効果の測定に用いられるものである、請求項１に記載の皮膚のタルミ度合いを鑑別するための指標の算出方法。
【発明の詳細な説明】
【技術分野】
【０００１】
本発明は、皮膚のタルミ度合いの鑑別法及びそれを用いた化粧料、マッサージやエステティックなどによる皮膚のタルミ度合い改善効果の鑑別法に関する。
【背景技術】
【０００２】
肌状態の鑑別は、化粧料を的確に選択したり、その肌の処置を的確に行うために必須のことであり、アンケートを含めた肌状態の鑑別のための種々の技術が開発されている。かような鑑別方法の中でも、老化現象の１つである肌のたるみは、中年以上の女性にとって最大の関心事であり、簡便且つ正確に皮膚のたるみを鑑別する方法や、かような皮膚状態を改善できる化粧料や施術等の効果に関する評価が重要な課題であった。
【０００３】
このような状況下において、「肌のハリ・柔軟性」等の皮膚の機能性と視覚的・形態学的との２面から皮膚のタルミを評価する技術が各々研究・開発されてきた。機能性に着目した技術としては、例えば、Courage+Khazaka社製のキュートメータRの皮膚粘弾性測定器の開発（非特許文献１参照）等が報告されている。さらに近年、皮膚のハリ・柔軟性の状態や方向性も評価可能な、皮膚に伝わる衝撃波を測定する衝撃波測定装置（Courage+Khazaka社製のReviscometerR）が開発され、これを用いて、日本人女性の皮膚粘弾性異方性の加齢変化（非特許文献２参照）、皮膚の硬さに関する部位間の差異（非特許文献３参照）、つっぱり感との相関性（特許文献２参照）が明らかにされている。また、これらを用いて有効性成分による肌改善効果も評価され、肌の引き締め効果（例えば、特許文献３、４参照）や皮膚粘弾性の低下抑制効果（例えば、特許文献５参照）についても開示されている。
【０００４】
一方、視覚的、形態学的に着目して皮膚のたるみを定量化する技術開発も為され、基準写真による専門家の判定やモアレ画像による判定に始まり、より客観的・定量的に、仰臥位と座位との重力方向の差による顔面皮膚の変位量の差を指標とした皮膚たるみ量測定装置（特許文献１参照）が開示されている。さらには、非接触型三次元形状計測装置を用い、施術前後や日内変動における、顔の立体形状の変化量を計測して評価を行う技術も開示されている（特許文献６参照）。
【０００５】
かような技術的進歩によって、確実に皮膚のたるみ量に関する客観性や精度の向上は為されるようになったが、視覚的な肌のたるみと皮膚の柔軟性・ハリの状態を支配する皮膚の機能性との関係については、未だに全く知られていない。本願発明の皮膚機能に基づいた皮膚のたるみ（以下においては「皮膚のタルミ度合い」と定義）が明らかにできれば、皮膚機能を改善できる有効成分や施術等の「皮膚のタルミ度合い」をより客観的且つ精度良く評価できることが期待される。かように皮膚機能に基づいた「皮膚のタルミ」を推定可能な、簡便で客観的な技術が極めて切望されていた。
【０００６】
【特許文献１】特開平１０−０４３１４１号公報
【特許文献２】特開２００４−１６００２０号公報
【特許文献３】特開２００６−２３２８３８号公報
【特許文献４】特開２００８−５３３２０２号公報
【特許文献５】特開２００９−００７３３６号公報
【特許文献６】特開２００４−１１３５２７号公報
【非特許文献１】高橋元次，FRAGRANCE JOURNAL 12：34，1990
【非特許文献２】菅田慶一，第５１回ＳＣＣＪ研究討論会，２２６
【非特許文献３】森惠美，東京工科大学黒川研究室２００６年度卒業生中間発表
【発明の開示】
【発明が解決しようとする課題】
【０００７】
本発明は、このような状況下為されたものであり、皮膚のハリ・柔軟性の状態などの皮膚機能との相関性に基づいた、「皮膚のタルミ度合い」を、簡便且つ客観的に推定する鑑別技術、及び該鑑別技術を用いて化粧料や施術等による皮膚のタルミ度合い改善効果を鑑別する技術を提供することを課題とする。
【課題を解決するための手段】
【０００８】
この様な状況を鑑みて、本発明者らは、「皮膚のタルミ度合い」を簡便且つ客観的に推定する技術を求めて鋭意研究努力を重ねた結果、皮膚のたるみと衝撃波の伝搬時間との相関関係に基づいて、「皮膚のタルミ度合い」を簡便且つ客観的に推定できることを見い出し、本発明を完成させるに至った。即ち、本発明は、以下に示す技術に関する。
（１）皮膚のタルミ度合いを鑑別するための指標の算出方法であって、
被測定者の皮膚表面の測定部位を中心とする、立位姿勢における重力と反対方向に対して被測定者から見て右回りに１１０〜１７０°又は２９０〜３４０°の範囲内の衝撃波の伝搬時間を測定し、測定した伝搬時間の平均値を前記指標として算出することを特徴とする、皮膚のタルミ度合いを鑑別するための指標の算出方法。
（２）化粧料の使用による皮膚粘弾性改善効果の測定に用いられるものである、（１）に記載の皮膚のタルミ度合いを鑑別するための指標の算出方法。
【発明の効果】
【０００９】
本発明によれば、皮膚のタルミ度合いを簡便且つ客観的に推定できる技術を提供することができる。
【発明を実施するための最良の形態】
【００１０】
（１）本発明の皮膚のタルミ度合いの鑑別法
本発明の皮膚のタルミ度合いの鑑別法は、衝撃波の伝搬時間を用いて皮膚のタルミ度合いを推定することを特徴とする。該鑑別を行うためには、皮膚のたるみ量と衝撃波の伝搬時間との関係を明らかにし、その関係を示す回帰式などを作成して鑑別に用いればよい。以下のその詳細を記す。
【００１１】
（２）視覚的・形態学的な皮膚のたるみ量の計測法
皮膚のたるみの発生メカニズムについてはよく分かっていないが、皮膚、筋肉及び皮下脂肪の加齢による変化や加齢に伴うそのバランスの崩れ、ハリ・柔軟性の強度を保っている皮膚の真皮の変化、重力の影響等が関与しているものと考えられている。この皮膚のたるみ量は、上述したように視覚的、形態学的に定量化可能であり、例えば、視覚や写真評価、モアレ計測、皮膚のたるみ量測定装置、或いは三次元計測装置などを用いて「皮膚のたるみ量」を測定できる。前記三次元計測装置では、非接触型三次元形状計測装置として市販されており、それを用いて各種姿勢や経時における顔の三次元座標を計測し、その変位を数値（mm又はcm３）として入手できる。かような機器として、例えば、ＮＥＣエンジニアリング社製の「Ｄａｎａｅ−Ｒレンジファインダー」、コニカミノルタ社製の「ＶＩＶＩＤシリーズ」等の三次元計測装置等が好適に例示できる。また、前記皮膚たるみ量測定装置では、皮膚の基準点とたるみの対象となる測定点との距離を計測し、座位と仰臥位との２姿勢における距離の変位を重力によるたるみ量（mm）と定義し、数値として入手しうる。該装置においては、メジャーとデジタルカメラのみでも測定できる簡便な方法であり、さらに画像解析装置と組合せることによってより精度良く計測できる。
【００１２】
（３）皮膚機能特性を示す衝撃波伝搬時間の計測法
皮膚機能特性を示すものとして、皮膚粘弾性測定器や衝撃波測定装置が挙げられるが、皮膚に伝わる衝撃波を計測する衝撃波測定装置がより好ましく、具体的には、Courage+Khazaka社製のリビスコメータ（ReviscometerR）が好適に例示できる。該装置は、プローブ先端の２つのセンサー（Emitter・Receiver）の間の衝撃波の伝搬時間（単位:任意の値、以下ＲＲＴと略）を測定できる（図１参照）。実際には、対象とする部位に１０°刻みにアタッチメント装着し、０°〜３５０°を測定し、３６個のＲＲＴデータを得ることができる（図２、図３参照）。かようにして得られたＲＲＴは弾力性又は弾性(Elasticity)を反映し、ＲＲＴが大きいと弾力性が低いことが分かっている。
【００１３】
（４）皮膚のたるみと衝撃波の伝搬時間との相関関係
皮膚のたるみを観察するのに適した部位、例えば、頬部や顎部を対象に、前述のような視覚的・形態学的な皮膚のたるみ量の計測と、皮膚機能特性を示す衝撃波伝搬時間の計測を、複数の十分な数の被験者を対象に行い、両者の計測指標間に有意で且つ高い相関関係を示せば、視覚的・形態学的な皮膚のたるみ量は、ＲＲＴ等の粘弾性の皮膚機能を反映したものであることが分かる。言い換えれば、ＲＲＴ等を用いて「皮膚のタルミ度合い」を推定することが可能と言える。具体的には、両者の関係を示す回帰式などを作成して、皮膚機能特性に裏付けられた視覚的・形態学的な皮膚のたるみ量として定義される、「皮膚のタルミ度合い」を推定できる。
【００１４】
前記相関関係の確認や回帰式の作成は、フリーソフトや市販の多変量解析のソフトウェアを用いて実行することができ、例えば、ＳＰＳＳ社製のＳＰＳＳシリーズやＳＡＳ社製のＪＭＰ等が例示できる。
【００１５】
かようにして、視覚的・形態学的な皮膚のたるみ量の計測と、皮膚機能特性を示す衝撃波伝搬時間等の計測を行い、両者の計測指標間に有意で且つ高い相関関係を示せば、皮膚機能特性に裏付けられた視覚的・形態学的な皮膚のたるみ量として定義される、「皮膚のタルミ度合い」を推定できる。したがって、前記皮膚機能特性の指標としては、前記衝撃波伝搬時間（ＲＲＴ）にのみ限定されることはなく、上記の相関関係を満たす指標を計測可能な皮膚レオロジー特性計測器であれば、特に限定を受けずに使用できる。かような機器としては、例えば、ウェイブサイバー社製のVesmeterR、Courage+Khazaka社製キュートメータRやSkin-ElastometerR、ポーラ社製の皮膚レジリオメータ或いはＡＸＩＯＭ社製Ｖｅｎｕｓｔｒｏｎシリーズ等が例示できる。
【００１６】
以下に実施例を挙げて、本発明について更に詳細に説明を加えるが、本発明がこれら実施例にのみ限定を受けないことは言うまでもない。
【実施例１】
【００１７】
＜皮膚のたるみ量と衝撃波の伝搬時間との関係＞
＜方法＞
ボランティアの２０〜７０代の女性５８名を対象に、洗顔２０分後において、ＲＲＴはリビスコメータ（ReviscometerR  RVM600）、皮膚たるみ量は画像解析装置と前述した皮膚たるみ量測定装置を用いて、それぞれ図４及び図５のような条件及び部位にて計測を行った。得られたＲＲＴ(任意の値)とたるみ量(mm)との相関関係について解析し、結果を表１に示す。
＜結果＞
表１より、頬部で、ＲＲＴの角度１１０°〜１７０°及び２９０°〜３４０°においては、衝撃波伝搬時間であるＲＲＴと皮膚たるみ量とは有意で高い相関関係（ｐ＜０．０５）を示すことが分かる。
【００１８】
【表１】
0005437718.tif 000002
【実施例２】
【００１９】
＜皮膚のタルミ度の鑑別＞
実施例１において、有意な相関関係を示したＲＲＴの角度が１１０°〜１７０°の範囲のＲＲＴの各個人毎の平均値（角度依存性肌弾力指数と定義：大きいほど弾力性が低い）を算出し、角度依存性肌弾力指数と皮膚たるみ量とについて相関分析及び回帰分析を行った（図６参照）。図６の結果に示すように、有意な正の相関関係（ｒ＝０．３６８、ｐ＜０．０１）を確認できる。得られた回帰分析式を用いれば、ＲＲＴが意味する皮膚粘弾性特性に裏付けられた、視覚的形態学的皮膚のたるみ量として定義される、「皮膚のタルミ度合い」を鑑別できることが分かる。
【実施例３】
【００２０】
＜皮膚のたるみの日内変動と衝撃波の伝搬時間との関係＞
実施例１のボランティアの内２４名を対象に、ＮＥＣエンジニアリング社製の「Ｄａｎａｅ−Ｒレンジファインダー」を用い、午前１０時と午後５時に座位で顔の立体形状を計測し、両立体形状間の差分を算出した。午後５時において頬部から顎にかけて法線方向へのプラスの差分（膨張）が認められ（０．８５mm±０．４０mm、ｐ＜０．００１）、重力による皮膚のたるみの日内変動を示した。図５の頬部における法線方向のプラスの差分を皮膚たるみ量(mm)として、実施例１と同様に、ＲＲＴ(min)との相関関係を解析した結果、有意で高い相関関係（ｒ＝０．５６８、ｐ＜０．０１）を確認できた。これより、ＲＲＴが意味する皮膚粘弾性特性に裏付けられた、視覚的形態学的皮膚のたるみ量として定義される、「皮膚のタルミ度合い」を鑑別できることが分かる。
【実施例４】
【００２１】
＜試験例＞
ボランティアの３０〜５０代の女性３８名を２群に分け、化粧料による皮膚粘弾性改善効果について二重盲検法で検討した。２群の片方は、皮膚粘弾性改善効果が期待されるヨモギエキス※配合した化粧料を、もう一方はヨモギエキス無配合の化粧料を共に６ヶ月間使用させ、実施例１と同様の方法で、使用前後においてＲＲＴ(min)・角度依存性肌弾力指数とたるみ量(mm)を計測した。ｔ−検定で解析した結果を図７及び図８に示す。「皮膚のタルミ度合い」と関係する角度依存性肌弾力指数及びたるみ量(mm)とも、ヨモギエキス※配合の有無によって指標に有意な差を認め、皮膚粘弾性の改善傾向を示した。これより「皮膚のタルミ度合い」の指標が有効であることが分かる。
※ キク科ヨモギ(Artemisia)属の植物の植物体抽出物
【産業上の利用可能性】
【００２２】
本発明によって、皮膚機能に裏づけられた皮膚のタルミ度合いを簡便且つ客観的に推定できる技術を提供することができ、化粧料、有効成分や各種施術等による皮膚のタルミ度合い改善効果を鑑別することができる。
【図面の簡単な説明】
【００２３】
【図１】リビスコメータのプローブ原理を示す図である。
【図２】リビスコメータのアタッチメントを用いた皮膚測定を示す図である。
【図３】リビスコメータによる０°〜３６０°を測定した時のＲＲＴの出力結果を示す図（例）である。
【図４】皮膚たるみ量測定装置における顔の計測方法の原理を示す図である。
【図５】リビスコメータによる顔の計測方法を示す図である。
【図６】角度依存性肌弾力指数と皮膚たるみ量との相関関係を示す図である。
【図７】皮膚粘弾性改善試験におけるＲＲＴの改善結果を示す図である。
【図８】皮膚粘弾性改善試験におけるたるみ量(mm)の結果を示す図である。
【図１】
0005437718.tif 000003
【図２】
0005437718.tif 000004
【図３】
0005437718.tif 000005
【図４】
0005437718.tif 000006
【図５】
0005437718.tif 000007
【図６】
0005437718.tif 000008
【図７】
0005437718.tif 000009
【図８】
0005437718.tif 000010